(57)【要約】【課題】水栓装置本体を構成する金属製の水栓本体部材をカバーで覆った構成において、水栓本体部材の熱が伝わることによりカバーが高温となることを抑制し、熱に起因して生じるカバーの変形等の不具合を防止する。【解決手段】金属製の水栓本体部材１５に、湯と水を混合する湯水混合弁１６を内蔵した水栓装置本体６と、水栓装置本体６を覆うカバー７と、を備えた湯水混合水栓装置１であって、水栓本体部材１５内には、湯水混合弁１６に水を供給するための給水流路、および湯水混合弁１６に湯を供給するための給湯流路が形成されており、水栓本体部材１５およびカバー７は、突起部１２０により、水栓本体部材１５における給水流路を形成する部分がカバー７に接触するように構成されている。【選択図】図７
2020200658.tif 000002
【特許請求の範囲】
【請求項１】
金属製の水栓本体部材に、湯と水を混合する湯水混合弁を内蔵した水栓装置本体と、前記水栓装置本体を覆うカバーと、を備えた湯水混合水栓装置であって、
前記水栓本体部材内には、前記湯水混合弁に水を供給するための給水流路、および前記湯水混合弁に湯を供給するための給湯流路が形成されており、
前記水栓本体部材および前記カバーは、前記水栓本体部材における前記給水流路を形成する部分が前記カバーに接触するように構成されている
ことを特徴とする湯水混合水栓装置。
【請求項２】
前記水栓本体部材は、前記カバーに接触する部分として、前記給水流路を形成する部分の表面側に設けられた突出部を有する
ことを特徴とする請求項１に記載の湯水混合水栓装置。
【請求項３】
前記突出部は、少なくとも上方向に突出するように形成されている
ことを特徴とする請求項２に記載の湯水混合水栓装置。
【発明の詳細な説明】
【技術分野】
【０００１】
本発明は、湯水混合水栓装置に関し、詳しくは、水栓装置本体を構成する金属製の水栓本体部材をカバーで覆った構成を備えた湯水混合水栓装置に関する。
【背景技術】
【０００２】
従来、浴室等に設けられる湯水混合水栓装置として、例えば浴室の浴槽周囲のカウンターデッキ面等の水平状の取付面に対し、この取付面から立ち上がる湯水供給用の脚部を介して、水栓装置本体を設置した構成のものがある（例えば、特許文献１参照。）。
【０００３】
水栓装置本体は、湯水供給用の脚部から供給された湯と水を混合することで、調整された温度の湯水を吐止水するための構成を有する。水栓装置本体に対しては、湯水の吐水部として、スパウト（カラン）やシャワーが設けられる。湯水供給用の脚部は、給湯用の流路および給水用の流路を形成する脚状の部分であり、取付面から立ち上がるとともに水栓装置本体の下側に連通接続されている。
【０００４】
水栓装置本体は、その大部分をなす水栓本体部材の内部に、湯水の温度を調整するための湯水混合弁や、複数の吐水部に対する流路の切替えや流量の調整を行うための流路切替弁等を内蔵している。水栓本体部材は、その内部に湯および水の流路を形成したものであり、一般的に鋳物等の金属製の部材である。
【０００５】
このような構成の湯水混合水栓装置には、例えば、水栓本体部材において湯が通ることで高温となった部分に使用者が直接触れることを防止することや外観品質を向上させること等を目的として、水栓装置本体の大部分をカバーにより覆った構成のものがある（例えば、特許文献２参照。）。特許文献２には、複数のカバー体を、水栓装置本体である湯水混合水栓の略全体に取り付けた構成が開示されている。
【先行技術文献】
【特許文献】
【０００６】
【特許文献１】特開２０１４−７０４２３号公報
【特許文献２】特開平１０−２０４９４６号公報
【発明の概要】
【発明が解決しようとする課題】
【０００７】
上述したように水栓装置本体をカバーにより覆った構成においては、部分的に高温となる金属製の水栓本体部材とカバーとの間の断熱として、空気断熱が行われている。すなわち、水栓本体部材とカバーとの間に隙間等の空間を設け、この空間を断熱用の空気層とした構成である。
【０００８】
しかしながら、水栓本体部材とカバーとの間に空気層を介在させた空気断熱だけでは、十分な断熱作用が得られない場合がある。特に、水栓本体部材において、水と混合される前の湯が通る部分は、水栓装置本体に供給される湯の温度に応じた高温部分となり、この高温部分を覆うカバーの部分には、比較的大きな熱が伝わることになる。このことは、カバーにおいて生じる熱応力を増大させ、カバーの変形等の不具合を生じさせる原因となり得る。
【０００９】
本発明は、上記のような問題点に鑑みてなされたものであり、水栓装置本体を構成する金属製の水栓本体部材をカバーで覆った構成において、水栓本体部材の熱が伝わることによりカバーが高温となることを抑制することができ、熱に起因して生じるカバーの変形等の不具合を防止することができる湯水混合水栓装置を提供することを目的とする。
【課題を解決するための手段】
【００１０】
本発明に係る湯水混合水栓装置は、金属製の水栓本体部材に、湯と水を混合する湯水混合弁を内蔵した水栓装置本体と、前記水栓装置本体を覆うカバーと、を備えた湯水混合水栓装置であって、前記水栓本体部材内には、前記湯水混合弁に水を供給するための給水流路、および前記湯水混合弁に湯を供給するための給湯流路が形成されており、前記水栓本体部材および前記カバーは、前記水栓本体部材における前記給水流路を形成する部分が前記カバーに接触するように構成されているものである。
【００１１】
このような構成の湯水混合水栓装置によれば、水栓装置本体を構成する金属製の水栓本体部材をカバーで覆った構成において、水栓本体部材の熱が伝わることによりカバーが高温となることを抑制することができ、熱に起因して生じるカバーの変形等の不具合を防止することができる。
【００１２】
本発明に係る湯水混合水栓装置の他の態様は、前記湯水混合水栓装置において、前記水栓本体部材は、前記カバーに接触する部分として、前記給水流路を形成する部分の表面側に設けられた突出部を有するものである。
【００１３】
このような構成の湯水混合水栓装置によれば、樹脂や亜鉛などの比較的熱伝導率の低い材料でカバーを形成した場合であっても、カバーに比べて熱伝導率が高くなる水栓本体部材の突出部を介して、水栓本体部材をカバーに接触させることができるので、水栓本体部材における給水流路を形成する部分による冷却作用を効率的にカバーに与えることができ、カバーの局部的な高温化を効果的に抑制することができる。
【００１４】
本発明に係る湯水混合水栓装置の他の態様は、前記湯水混合水栓装置において、前記突出部は、少なくとも上方向に突出するように形成されているものである。
【００１５】
このような構成の湯水混合水栓装置によれば、カバーに作用する重力を利用して、突出部をカバーに接触させやすくすることができるので、突出部を確実にカバーに接触させることが可能となり、突出部によってカバーの局部的な高温化を効果的に抑制することができる。また、カバーにおいて湯水混合水栓装置の使用者が触れる可能性が比較的高い上側の部分の高温化を抑制することができることから、湯水混合水栓装置の安全性を向上させることができる。
【発明の効果】
【００１６】
本発明によれば、水栓装置本体を構成する金属製の水栓本体部材をカバーで覆った構成において、水栓本体部材の熱が伝わることによりカバーが高温となることを抑制することができ、熱に起因して生じるカバーの変形等の不具合を防止することができる。
【図面の簡単な説明】
【００１７】
【図１】本発明の一実施形態に係る湯水混合水栓装置を示す斜視図である。
【図２】本発明の一実施形態に係る湯水混合水栓装置を示す正面図である。
【図３】本発明の一実施形態に係る湯水混合水栓装置を示す右側面図である。
【図４】本発明の一実施形態に係る湯水混合水栓装置の構成を示す分解斜視図である。
【図５】本発明の一実施形態に係る湯水混合水栓装置のカバーを取り外した状態を示す正面図である。
【図６】図３におけるＡ−Ａ断面図である。
【図７】本発明の一実施形態に係る湯水混合弁およびその近傍の構成を示す正面一部断面図である。
【図８】本発明の一実施形態に係るカバーの前方斜視図である。
【図９】本発明の一実施形態に係るカバーの右側面図である。
【図１０】本発明の一実施形態に係る前カバー体の後方斜視図である。
【図１１】本発明の一実施形態に係る前カバー体の背面図である。
【図１２】本発明の一実施形態に係る後カバー体の前方斜視図である。
【図１３】本発明の一実施形態に係る後カバー体の後方斜視図である。
【図１４】本発明の一実施形態に係る後カバー体の正面図である。
【図１５】本発明の一実施形態に係る前カバー体と後カバー体の係合部を示す断面斜視図である。
【図１６】本発明の一実施形態に係る後カバー体の取付手順の一例についての説明図である。
【図１７】本発明の一実施形態に係る水栓本体部材の左側腕部を示す斜視図である。
【図１８】本発明の一実施形態に係る湯水混合水栓装置の変形例１の構成を示す水栓本体部材の左側腕部の平面図である。
【図１９】本発明の一実施形態に係る湯水混合水栓装置の変形例２の構成を示す水栓本体部材の左側腕部およびカバーの部分拡大側面断面図である。
【図２０】本発明の一実施形態に係る湯水混合水栓装置の変形例３の構成を示す水栓本体部材の左側腕部の斜視図である。
【図２１】本発明の一実施形態に係る湯水混合水栓装置の変形例４の構成を示す水栓本体部材の左側腕部およびカバーの部分拡大正面断面図である。
【発明を実施するための形態】
【００１８】
本発明は、水栓装置本体を構成する金属製の水栓本体部材をカバーで覆った構成において、水栓本体部材のうち比較的低温部分となる水の流通部分の表面側を、カバーに対して内側から接触させる構成を備えたものである。このような構成により、本発明は、水栓本体部材とカバーとの間において、水栓本体部材内を通る湯の熱が水栓本体部材の表面側からカバーに伝達されることによるカバーの部分的な高温化を抑制し、カバーの熱変形等の不具合を抑制しようとするものである。以下、本発明の実施の形態について図面を参照して説明する。
【００１９】
図１から図４に示すように、本実施形態に係る湯水混合水栓装置１は、例えば浴室の浴槽周囲のカウンターデッキ面等の水平状の取付面２ａに対して設置されるいわゆる台付きタイプの水栓装置である。取付面２ａは、水平状の板状部分である設置面部２の上面である。湯水混合水栓装置１は、本体部３と、設置面部２に対して本体部３を支持する湯供給用脚部４および水供給用脚部５とを有する。
【００２０】
本体部３は、水栓装置本体６と、水栓装置本体６を覆う樹脂製のカバー７とを備える。湯供給用脚部４および水供給用脚部５は、大部分が上下方向を筒軸方向とする円筒状の本体軸部４ａ，５ａとして形成された管状部材により構成されており、それぞれ上下方向に延びた湯用脚部内流路４ｂ、水用脚部内流路５ｂを形成している（図６参照）。
【００２１】
水栓装置本体６は、湯供給用脚部４内を通過した湯と、水供給用脚部５内を通過した水の供給を受け、これらの湯と水を適宜混合することで、調整された温度の湯水を吐止水するための構成を有する。水栓装置本体６から送出される湯水は、水栓装置本体６に対して設けられた吐水部へと供給される。カバー７は、水栓装置本体６の外形に対応した所定の形状を有する外装部材であり、本体部３の大部分の外形をなす。
【００２２】
本体部３は、その上部を、円筒状の外形に沿う筒状部３ａとし、筒状部３ａよりも下側の部分を、左右方向を長手方向とする略直方体状の外形に沿う箱状部３ｂとしている。箱状部３ｂは、筒状部３ａの長手方向の中間部の下側に設けられており、筒状部３ａは、その両端部を、箱状部３ｂに対して左右両側に突出させている。本体部３は、筒状部３ａおよび箱状部３ｂにより、正面視で略「Ｔ」字状の外形をなすように構成されている。なお、湯水混合水栓装置１においては、本体部３の筒状部３ａの筒軸方向である長手方向（図２における左右方向）を左右方向とし、平面視で左右方向に直交する方向（図３における左右方向）を前後方向とする。
【００２３】
水栓装置本体６に対しては、吐水部としてのスパウト８およびシャワー９が設けられている。スパウト８は、筒状部３ａの左右中央部の上側から上方に向けて突出した回動支持部８ａを介して、水平状に前方に向けて直線状に延設されている。スパウト８は、回動支持部８ａにより水平回動可能に設けられている。スパウト８の先端部には、下側に向けて水を吐出する吐水口８ｂが設けられている。
【００２４】
シャワー９は、本体部３の背面側に設けられたエルボ管１０を介して、水栓装置本体６に対して連通接続されている。シャワー９は、一端側をエルボ管１０に連通接続させたシャワーホース９ａと、シャワーホース９ａの他端側に設けられたシャワーヘッド９ｂとを有する。
【００２５】
本体部３において、筒状部３ａの右側の突出部分を構成する部分として、流路切替えおよび流量調整用の切替操作部１１が設けられている。切替操作部１１は、略円筒状の切替操作部材１１ａを有し、この切替操作部材１１ａが筒状部３ａの筒軸方向を回動軸方向として回動操作されるように構成されている。切替操作部１１の操作により、水栓装置本体６からの吐止水（湯水の吐出・停止）の切替え、スパウト８およびシャワー９に対する流路の切替え、並びに水栓装置本体６から吐出される湯水の流量の調整が行われる。
【００２６】
また、本体部３において、筒状部３ａの左側の突出部分を構成する部分として、温度調整用の温調操作部１２が設けられている。温調操作部１２は、略円筒状の温調操作部材１２ａを有し、この温調操作部材１２ａが筒状部３ａの筒軸方向を回動軸方向として回動操作されるように構成されている。温調操作部１２の操作により、水栓装置本体６から吐出される湯水の温度の調整が行われる。
【００２７】
水栓装置本体６について説明する。水栓装置本体６は、図６に示すように、金属製の水栓本体部材１５に、湯と水を混合する湯水混合弁１６を内蔵した構成を備えている。水栓本体部材１５は、例えば鋳物としてあるいはステンレス鋼等の金属材料により一体成形された金属製の部材である。
【００２８】
水栓本体部材１５は、本体部３の筒状部３ａの内部に位置する上筒状部１５ａと、上筒状部１５ａの下側に設けられた胴部１５ｂとを有する。上筒状部１５ａは、略円筒形状に沿う外形を有する中空状の部分である。上筒状部１５ａは、左右両側の部分を、略円筒状の部分として胴部１５ｂに対して左右外側に突出させている。
【００２９】
上筒状部１５ａは、図５において直線Ｃ１で示す水栓装置本体６の左右中央位置（以下「左右中央位置Ｃ１とする。」）の近傍の部位を上中央部１５ｘとし、上中央部１５ｘよりも左側の部分を左側腕部１５ｃとし、上中央部１５ｘよりも右側の部分を右側腕部１５ｄとする。上中央部１５ｘの上側に、スパウト８の回動支持部８ａが上方に向けて円筒状に突設されている。胴部１５ｂは、横長の箱状の形状を有する中空状の部分である。
【００３０】
図５および図６に示すように、水栓本体部材１５は、胴部１５ｂの下側において左右両側に設けられた湯用接続口部１５ｅおよび水用接続口部１５ｆを有する。湯用接続口部１５ｅおよび水用接続口部１５ｆは、いずれも胴部１５ｂの下側から下方に向けて突出した部分であって、上下方向を筒軸方向とする円筒状の部分である。湯用接続口部１５ｅは、左右中央位置Ｃ１に対して左側に設けられており、水用接続口部１５ｆは、同中央位置に対して右側に設けられている。
【００３１】
図６に示すように、胴部１５ｂの内部には、湯供給用脚部４から供給された湯が通る通湯路２１、および水供給用脚部５から供給された水が通る通水路２２が形成されている。通湯路２１および通水路２２は、胴部１５ｂ内に形成された隔壁２３により区画形成されている。隔壁２３は、左右中央位置Ｃ１の左側において、胴部１５ｂの内部空間を主に上下に区画するように、大部分を横方向に延伸させている。
【００３２】
通湯路２１は、上流側となる下側を、湯用接続口部１５ｅに連通させており、下流側となる上側を、左側腕部１５ｃ内に連通させている。通水路２２は、上流側となる下側を、水用接続口部１５ｆに連通させており、下流側となる上側を、左側腕部１５ｃ内に連通させている。隔壁２３による区画構造により、左側腕部１５ｃ内に臨む通湯路２１の開口部は、左側腕部１５ｃ内に臨む通水路２２の開口部よりも左側に位置している。通湯路２１および通水路２２は、左側腕部１５ｃ内に対して左側腕部１５ｃの下側から連通しており、通湯路２１および通水路２２の左側腕部１５ｃ内に臨む開口部２１ａ，２２ａは、隔壁２３の上端部２３ａによって左右に仕切られている。
【００３３】
水栓本体部材１５の下側には、水栓本体部材１５と、湯供給用脚部４および水供給用脚部５それぞれとの間の流路を構成する流路構成部３０が設けられている。流路構成部３０は、流路構成部３０における流路を形成する流路形成部材３１を有する。流路形成部材３１は、流路構成部３０の大部分をなす部材であり、湯供給用脚部４および水供給用脚部５それぞれと水栓本体部材１５との間を連通接続させる接続部材である。
【００３４】
流路形成部材３１は、例えば鋳物としてあるいはステンレス鋼等の金属材料により一体成形された金属製の部材である。流路形成部材３１は、左側の半部を、湯用の流路をなす湯用流路形成部３２とし、右側の半部を、水用の流路をなす水用流路形成部３３としている。すなわち、水栓本体部材１５の下側において、湯の供給流路として、湯供給用脚部４から湯用流路形成部３２を介して湯用接続口部１５ｅに至る流路が構成されており、水の供給流路として、水供給用脚部５から水用流路形成部３３を介して水用接続口部１５ｆに至る流路が構成されている。これらの湯および水の供給流路は、湯用接続口部１５ｅおよび湯用接続口部１５ｅを含め、左右中央位置Ｃ１を中心として略左右対称に構成されている。
【００３５】
流路形成部材３１において、湯用流路形成部３２内には湯用流路３４が形成されており、水用流路形成部３３内には水用流路３５が形成されている。湯用流路３４および水用流路３５は、一体成形部材である流路形成部材３１において互いに独立した流路として形成されている。湯用流路３４を介して、湯用脚部内流路４ｂと通湯路２１とが連通しており、水用流路３５を介して、水用脚部内流路５ｂと通水路２２とが連通している。
【００３６】
湯用流路形成部３２は、湯用流路３４の上流側の開口部を形成する湯側下接続部３６と、湯用流路３４の下流側の開口部を形成する湯側上接続部３７とを有する。湯側下接続部３６は、下方開口の円筒状の部分であって湯用流路形成部３２の下端部をなし、湯側上接続部３７は、上方開口の円筒状の部分であって湯用流路形成部３２の上端部をなす。湯用流路形成部３２は、湯側下接続部３６を、湯側上接続部３７に対して左右方向の外側（左側）に位置させている。
【００３７】
水用流路形成部３３は、水用流路３５の上流側の開口部を形成する水側下接続部３８と、水用流路３５の下流側の開口部を形成する水側上接続部３９とを有する。水側下接続部３８は、下方開口の円筒状の部分であって水用流路形成部３３の下端部をなし、水側上接続部３９は、上方開口の円筒状の部分であって水用流路形成部３３の上端部をなす。水用流路形成部３３は、水側下接続部３８を、水側上接続部３９に対して左右方向の外側（右側）に位置させている。
【００３８】
湯側下接続部３６には、湯用流路３４と湯用脚部内流路４ｂとが連通するように、湯供給用脚部４の上端部が水密状に接続固定されている。湯側下接続部３６および湯供給用脚部４の上端部には、それぞれフランジ状の固定片部が形成されており、これらの固定片部同士がボルト等の固定具４１等によって互いに固定されている。湯側上接続部３７には、湯用流路３４と通湯路２１とが連通するように、湯用接続口部１５ｅが水密状に接続固定されている。湯側上接続部３７と湯用接続口部１５ｅとは、ナット部材４２等によって互いに固定されている。
【００３９】
ナット部材４２の上部には、円筒状のスペーサ４３が外嵌されている。スペーサ４３は、ナット部材４２の上部を介して湯用接続口部１５ｅまたは水用接続口部１５ｆを挿入させた態様で設けられている。
【００４０】
水用流路形成部３３に対しては、湯用流路形成部３２に対する湯供給用脚部４および湯用接続口部１５ｅの接続構造と同様の構造により、水供給用脚部５および水用接続口部１５ｆが接続固定されている。すなわち、水側下接続部３８には、水用流路３５と水用脚部内流路５ｂとが連通するように、水供給用脚部５の上端部が水密状に接続固定されている。水側下接続部３８および水供給用脚部５の上端部には、それぞれフランジ状の固定片部が形成されており、これらの固定片部同士がボルト等の固定具４１等によって互いに固定されている。水側上接続部３９には、水用流路３５と水栓本体部材１５内の通水路２２とが連通するように、水用接続口部１５ｆが水密状に接続固定されている。水側上接続部３９と水用接続口部１５ｆとは、ナット部材４２等によって互いに固定されている。
【００４１】
流路形成部材３１において、湯用流路３４および水用流路３５の中途部には、それぞれ調圧機能を有する止水栓装置４５が設けられている。止水栓装置４５は、湯用流路形成部３２においては、湯用流路３４に作用するように組み込まれており、水用流路形成部３３においては、水用流路３５に作用するように組み込まれている。止水栓装置４５は、湯用流路３４を通る湯、または水用流路３５を通る水に対して、水圧を調整するように作用する。２つの止水栓装置４５，４５は、流路形成部材３１の左右内側において左右に隣り合うように設けられている。
【００４２】
止水栓装置４５は、前後方向を軸方向として回動可能に設けられた操作部材としてのスピンドル部材４６と、調圧弁体および調圧弁体を付勢する調圧ばねを含む調圧弁と、スピンドル部材４６および調圧弁体をガイドするガイド部材４７とを含んで構成されている。スピンドル部材４６の前端部には、スピンドル部材４６を回動操作するためのキー溝４６ａが形成されている。ガイド部材４７は、前部をナット状の形状部分とした筒状の部材であり、筒軸方向を前後方向として、流路形成部材３１に形成された筒状の止水栓取付部４８の前側の開口部を塞ぐように、止水栓取付部４８に対して螺嵌状態で固定されている。スピンドル部材４６は、筒状のガイド部材４７に差し込まれ、ガイド部材４７からキー溝４６ａを前外側に臨ませている。
【００４３】
止水栓装置４５は、スピンドル部材４６の軸方向の位置により、湯用流路３４および水用流路３５の各流路における一次側と二次側の間の止水状態（非連通状態）と通水状態（連通状態）の切替え、および各流路の水圧の調整が行われるように構成されている。スピンドル部材４６の回動操作は、前側に露出した状態のキー溝４６ａに対し、マイナスドライバー等の工具が用いられて行われる。このように、止水栓装置４５は、水栓装置本体６の前側から操作可能に設けられている。なお、左右の止水栓装置４５については、例えば一方の止水栓装置４５が調圧機能を有さずに止水機能のみを有する構成のものであってもよい。
【００４４】
湯供給用脚部４および水供給用脚部５は、設置面部２に対して本体部３を支持する脚部を構成している。湯供給用脚部４および水供給用脚部５のそれぞれの本体軸部４ａ，５ａの上側には、拡径部分であるフランジ部４ｃ，５ｃが形成されている。また、図示では省略するが、本体軸部４ａ，５ａの外周面にはネジ部が形成されており、本体軸部４ａ，５ａにはナット部材４９が螺合している。
【００４５】
湯供給用脚部４および水供給用脚部５は、設置面部２に対して本体軸部４ａ，５ａを上下に貫通させるとともに、フランジ部４ｃ，５ｃとナット部材４９との間に設置面部２を上下に挟持した状態で、設置面部２に固定支持されている。フランジ部４ｃ，５ｃと設置面部２の取付面２ａとの間、およびナット部材４９と設置面部２の下面との間には、それぞれワッシャ部材５０ａ，５０ｂが介装されている。
【００４６】
設置面部２の下側に突出した湯供給用脚部４の下端部には、図示せぬ給湯配管が接続されており、湯用脚部内流路４ｂ内に湯が供給される。設置面部２の下側に突出した水供給用脚部５の下端部には、図示せぬ給水配管が接続されており、水用脚部内流路５ｂ内に水が供給される。
【００４７】
以上のような構成を備えた湯水混合水栓装置１においては、湯供給用脚部４から流路形成部材３１への湯用の供給流路、および水供給用脚部５から流路形成部材３１への水用の供給流路のそれぞれの流路として、略クランク形状の流路が構成されており、これらの流路が、上部同士を近接させるとともに下部同士を離間させるように左右対称に配されている。湯供給用脚部４の湯用脚部内流路４ｂおよび水供給用脚部５の水用脚部内流路５ｂのそれぞれから、湯用流路３４および水用流路３５のそれぞれに流入した湯と水は、それぞれ止水栓装置４５を通過することで調圧された後、水栓本体部材１５の通湯路２１および通水路２２に流入する。通湯路２１および通水路２２のそれぞれに流入した湯および水は、湯水混合弁１６に導かれ、湯水混合弁１６において混合される。
【００４８】
湯水混合弁１６およびその周りの流路構成について、図６および図７を用いて説明する。湯水混合弁１６は、カートリッジ式のサーモユニットとして構成されており、略筒状のケーシング５１と、ケーシング５１内においてケーシング５１の筒軸方向に往復摺動可能に設けられた円筒状の弁体５２とを有する。ケーシング５１内における弁体５２の往復摺動方向を「弁移動方向」という。
【００４９】
湯水混合弁１６は、ケーシング５１の筒軸方向を長手方向とし、水栓本体部材１５の左側腕部１５ｃ内に挿嵌された態様で設けられている。湯水混合弁１６は、円筒形状に沿う周壁面をなす左側腕部１５ｃに対して、ケーシング５１を同軸心状に位置させている。このため、左側腕部１５ｃの内周面１５ｇとケーシング５１の外周面５１ｅとの間には、略円筒形状の空間である外周側空間（以下「ケーシング外周側空間」という。）が存在している。
【００５０】
ケーシング５１の周壁には、ケーシング５１の内部空間に対する湯の流入口である湯供給口５１ａと、同内部空間に対する水の流入口である水供給口５１ｂとが形成されている（図７参照）。湯供給口５１ａおよび水供給口５１ｂは、ケーシング５１の内部空間を外部に連通させる孔部である。湯供給口５１ａおよび水供給口５１ｂは、ケーシング５１の長手方向の中間部において、湯供給口５１ａが水供給口５１ｂに対して左側に位置するように形成されている。ケーシング５１における湯供給口５１ａおよび水供給口５１ｂそれぞれの形成部位には、円筒状のストレーナ５４が外嵌されている。
【００５１】
ケーシング外周側空間が、シール部材であるＯリング５５（５５ａ，５５ｂ，５５ｃ）によって区画されることで、湯供給口５１ａが臨む湯用環状流路５６、および水供給口５１ｂが臨む水用環状流路５７が形成されている。Ｏリング５５は、ケーシング５１の周壁に形成された外周溝に外嵌されるとともに、左側腕部１５ｃの内周面１５ｇに接触し、ケーシング外周側空間をケーシング５１の長手方向について水密状に仕切っている。
【００５２】
湯用環状流路５６は、ケーシング外周側空間のうち、ケーシング５１において湯供給口５１ａと水供給口５１ｂとの間の部位に設けられた中央Ｏリング５５ａと、湯供給口５１ａよりも左側の部位に設けられた左側Ｏリング５５ｂとにより区画された空間部分として形成されている。水用環状流路５７は、ケーシング外周側空間のうち、中央Ｏリング５５ａと、水供給口５１ｂよりも右側の部位に設けられた右側Ｏリング５５ｃとにより区画された空間部分として形成されている。
【００５３】
湯用環状流路５６の下側に、上側に向けて開口した通湯路２１の下流側の開口部２１ａが連通しており、水用環状流路５７の下側に、上側に向けて開口した通水路２２の下流側の開口部２２ａが連通している。このような構成において、ケーシング５１の内部に対しては、通湯路２１内から湯用環状流路５６内に流入した湯が湯供給口５１ａから流入し、通水路２２内から水用環状流路５７内に流入した水が水供給口５１ｂから流入し、これらの湯と水がケーシング５１内で混合される。
【００５４】
弁体５２は、その外周面によって湯供給口５１ａおよび水供給口５１ｂの少なくとも一部を内側から塞ぐことにより、湯供給口５１ａおよび水供給口５１ｂからケーシング５１の内部に流入する湯および水の流量を制限する。すなわち、弁体５２の弁移動方向の位置により、湯供給口５１ａおよび水供給口５１ｂの開度、つまりケーシング５１の内外の連通面積が変化する。これにより、ケーシング５１内に供給される湯と水の割合が変化し、湯供給口５１ａおよび水供給口５１ｂから流入した湯および水が混合することで得られる湯水である混合水（以下単に「混合水」という。）の温度が調整される。弁体５２は、その弁移動方向の両側の空間同士を連通させるように、筒軸方向の両側を開口させている。
【００５５】
ケーシング５１内で生じた混合水は、ケーシング５１の先端側となる右側の端面部５１ｃに形成された流出口５１ｄから流れ出る。なお、混合水は、湯供給口５１ａが全閉状態で得られる水、あるいは水供給口５１ｂが全閉状態で得られる湯の場合がある。
【００５６】
弁体５２は、ケーシング５１内において弁移動方向を伸縮方向として設けられた感温バネ５８およびバイアスバネ５９により、弁移動方向の両側から押圧付勢された状態で支持されている。感温バネ５８の付勢力とバイアスバネ５９の付勢力とが釣り合う位置に、弁体５２が移動する。
【００５７】
感温バネ５８は、弁体５２と端面部５１ｃとの間に設けられている。感温バネ５８は、形状記憶合金（ＳＭＡ；Ｓｈａｐｅ  Ｍｅｍｏｒｙ  Ａｌｌｏｙ）により構成されたコイルバネであり、温度の変化によって弁体５２に作用させる付勢力を変化させ、弁体５２を駆動させる。感温バネ５８の付勢力は、温度が高くなることによって増加し、温度が低くなることによって減少する。
【００５８】
バイアスバネ５９は、弁体５２とその左方において弁移動方向に移動可能に設けられたバネ受け部材６０との間に設けられている。バネ受け部材６０は、ケーシング５１内に回転可能に設けられたスピンドル６１によってその移動方向について位置決めされる。スピンドル６１が正逆方向に回転することにより、バネ受け部材６０が弁移動方向の両側に移動し、バイアスバネ５９から弁体５２に作用する付勢力が変化する。
【００５９】
スピンドル６１は、温調操作部材１２ａに連結されており、温調操作部材１２ａの回動操作によって回動するように設けられている。スピンドル６１は、左側の部分を左側腕部１５ｃから突出させており、この突出部分において、温調操作部材１２ａと連結されている。温調操作部材１２ａの回転方向および回転量により、バネ受け部材６０の位置、つまりバイアスバネ５９から弁体５２に作用する付勢力の大きさが調整される。温調操作部材１２ａは、左側腕部１５ｃの左側の開口端部に対して、リング状ないし筒状の支持部材６２を介して回動可能に支持されている。
【００６０】
以上のような構成を備えた湯水混合弁１６においては、温調操作部１２の操作より、混合水の温度が調整される。すなわち、前述したように温調操作部材１２ａの回動によってスピンドル６１およびバネ受け部材６０を介して調整されるバイアスバネ５９の弁体５２に対する付勢力が感温バネ５８の付勢力を上回ることで、弁体５２が感温バネ５８の付勢力に抗して右側に移動する。これにより、湯供給口５１ａの開度が大きくなるとともに水供給口５１ｂの開度が小さくなるため、ケーシング５１内に供給される湯の量が増加して水の量が減少し、混合水の温度が上昇する。
【００６１】
一方、温調操作部材１２ａの回動によってスピンドル６１およびバネ受け部材６０を介してバイアスバネ５９の弁体５２に対する付勢力が感温バネ５８の付勢力を下回ることで、弁体５２がバイアスバネ５９の付勢力に抗して左側に移動する。これにより、湯供給口５１ａの開度が小さくなるとともに水供給口５１ｂの開度が大きくなるため、ケーシング５１内に供給される湯の量が減少して水の量が増加し、混合水の温度が低下する。
【００６２】
また、温調操作部１２の操作による所定の温度調整状態において、次のような温度調整作用が得られる。すなわち、ケーシング５１内の混合水の温度が上昇し、感温バネ５８の付勢力がバイアスバネ５９の付勢力を上回った場合、弁体５２が、両バネの付勢力が釣り合う位置まで左側に移動し、混合水の温度が低下する。一方、ケーシング５１内の混合水の温度が低下し、感温バネ５８の付勢力がバイアスバネ５９の付勢力を下回った場合、弁体５２が、両バネの付勢力が釣り合う位置まで右側に移動し、混合水の温度が上昇する。
【００６３】
以上のように、湯水混合弁１６においては、温調操作部１２の操作による弁体５２の動作と、感温バネ５８の温度変化にともなう付勢力の変化による弁体５２の動作とにより、湯供給口５１ａおよび水供給口５１ｂの開度が変化し、混合水の温度が調整される。
【００６４】
湯水混合弁１６の流出口５１ｄから流出した混合水は、上筒状部１５ａの上中央部１５ｘ内に向けて流れ、スパウト８またはシャワー９へと導かれて吐水される。水栓本体部材１５内において、スパウト８およびシャワー９のそれぞれに対する流路は、上中央部１５ｘ内から上下に分岐形成されている。
【００６５】
すなわち、水栓本体部材１５においては、上中央部１５ｘ内から、スパウト８に対する流路であるスパウト用流路６６が、上方に向けて形成されており、シャワー９に対する流路であるシャワー用流路６７が、下方に向けて形成されている。スパウト用流路６６は、回動支持部８ａ内に形成された流路を介して、スパウト８内の流路に連通している。シャワー用流路６７は、その下部を後方に向けて直角状に屈曲させており、水栓本体部材１５の背面側に接続されたエルボ管１０に連通し、エルボ管１０を介してシャワーホース９ａに連通している。
【００６６】
スパウト８およびシャワー９に対する流路の切替えは、切替操作部１１の操作にともなって動作する流路切替弁７０により行われる。流路切替弁７０は、上中央部１５ｘ内に設けられた筒状弁体７１と、筒状弁体７１を切替操作部材１１ａに連結させる軸状の部材である連結軸７２とを有する。
【００６７】
筒状弁体７１は、薄い金属板により形成された両端開口の部材である。筒状弁体７１には、その周壁部を貫通する通水孔７１ａが形成されている。筒状弁体７１は、上中央部１５ｘ内において環状の支持部材等を介して所定の位置で左右方向を筒軸方向とする向きで回動可能に設けられている。
【００６８】
連結軸７２は、左右方向を軸方向として、水栓本体部材１５の右側腕部１５ｄ内に固定状態で設けられた筒状のスリーブ部材７３を貫通した状態で設けられている。連結軸７２の右側の端部は、切替操作部材１１ａに対して相対回転不能に連結されており、連結軸７２の左側の端部に、筒状弁体７１が固定されている。筒状弁体７１および連結軸７２は、切替操作部材１１ａの回動操作により、左右方向を回動軸として切替操作部材１１ａと一体的に回動する。
【００６９】
以上のような構成を備えた流路切替弁７０によれば、切替操作部材１１ａの回動操作により、筒状弁体７１の通水孔７１ａがスパウト用流路６６側（上側）に位置することで、通水孔７１ａを介して筒状弁体７１内、つまり上中央部１５ｘ内とスパウト用流路６６とが連通した状態となり、水栓本体部材１５内からスパウト８への流路が開通した状態となる。かかる状態となることで、混合水がスパウト８の吐水口８ｂから吐出される。
【００７０】
一方、切替操作部材１１ａの回動操作により、筒状弁体７１の通水孔７１ａがシャワー用流路６７側（下側）に位置することで、通水孔７１ａを介して筒状弁体７１内、つまり上中央部１５ｘ内とシャワー用流路６７とが連通した状態となり、水栓本体部材１５内からシャワー９への流路が開通した状態となる。かかる状態となることで、混合水がシャワー９のシャワーヘッド９ｂから吐出される。
【００７１】
また、切替操作部材１１ａの操作によって変化する筒状弁体７１の通水孔７１ａの位置に関し、スパウト用流路６６およびシャワー用流路６７のそれぞれの上流側の開口部に対する通水孔７１ａの重なり度合により、上中央部１５ｘ内と各流路に対する連通面積が変化する。これにより、スパウト用流路６６およびシャワー用流路６７の各流路に対して供給される混合水の流量が調整される。また、筒状弁体７１の通水孔７１ａがスパウト用流路６６およびシャワー用流路６７のいずれにも連通していない状態となることで、湯水混合水栓装置１は止水状態となる。
【００７２】
以上のように、切替操作部材１１ａの回動操作によって、水栓装置本体６からの吐止水の切替え、スパウト８およびシャワー９に対する流路の切替え、並びに流量の調整が行われる。なお、筒状弁体７１が位置する上中央部１５ｘ内は、右側腕部１５ｄの内部に対してシール部材等によって密閉されている。
【００７３】
カバー７の構成について、図８から図１６を用いて説明する。カバー７は、本体部３において、切替操作部１１および温調操作部１２以外の水栓装置本体６の略全体を覆っており、下側を開放させている。カバー７の下側の開口端面７ｄは、水平面に沿うように形成されており、取付面２ａの直上に位置している。カバー７は、全体として例えばＡＢＳ樹脂等の樹脂材料により形成された部材により構成されている。
【００７４】
図８および図９に示すように、カバー７は、本体部３の筒状部３ａの外装部分となる筒状カバー部７ａと、本体部３の箱状部３ｂの外装部分となる箱状カバー部７ｂとを有し、全体として略左右対称に構成されている。筒状カバー部７ａは、左右両側を円形状に開口させている。箱状カバー部７ｂは、筒状カバー部７ａの左右中間部の下側に形成されており、上側の略半分を、下側の略半分に対して平面視外形を小さくしたくびれ部７ｃとしている。
【００７５】
カバー７は、いずれも樹脂製の一体成形部材である前カバー体８１および後カバー体８２の２つのカバー部材による分割構造を有する。前カバー体８１および後カバー体８２の各部材は、略左右対称な形状を有する。前カバー体８１は、カバー７において、主に箱状カバー部７ｂの前面部および左右の側面部を形成している。後カバー体８２は、カバー７において、主に箱状カバー部７ｂの後面部および筒状カバー部７ａを形成している。
【００７６】
図１０および図１１に示すように、前カバー体８１は、カバー７の前面部の大部分を形成する正面部８３と、カバー７の側面部の大部分を形成する左右の側面部８４，８４とを有する。左右の側面部８４，８４は、正面部８３とともに平面断面視で略直角状の屈曲部をなすように、正面部８３の左右両端部から後方に向けて形成されている。
【００７７】
正面部８３は、その略下半部をなす前下面部８３ａと、前下面部８３ａの上側に形成された前中面部８３ｂと、前中面部８３ｂの上側に形成された前上面部８３ｃとを有する。前下面部８３ａは、鉛直状の面部であり、箱状カバー部７ｂの下側の略半分の前面部を形成している。前中面部８３ｂは、箱状カバー部７ｂのくびれ部７ｃの前面部を形成する部分であり、下側の部分を、下側から上側にかけて前側から後側へと傾斜するように表面側に対してわずかに凹状に湾曲した曲面部とし、この曲面部よりも上側の部分を、前下面部８３ａよりも後方に位置する鉛直状の面部としている。前上面部８３ｃは、前中面部８３ｂの上側に連続した鉛直状の面部であり、筒状カバー部７ａの前下側の左右両端部を除いた部分を形成している。
【００７８】
側面部８４は、その略下半部をなす側方下面部８４ａと、側方下面部８４ａの上側に形成された側方中面部８４ｂと、側方中面部８４ｂの上側に形成された側方上前側曲面部８４ｃとを有する。側方下面部８４ａは、鉛直状の面部であり、箱状カバー部７ｂの下側の略半分の側面部を形成している。側方中面部８４ｂは、箱状カバー部７ｂのくびれ部７ｃの側面部を形成する部分であり、下側の部分を、下側から上側にかけて前側から後側へと傾斜するように表面側に対してわずかに凹状に湾曲した曲面部とし、この曲面部よりも上側の部分を、側方下面部８４ａよりも左右内側に位置する鉛直状の面部としている。
【００７９】
側方上前側曲面部８４ｃは、後面視において下側から上側にかけて徐々に左右外側に向かうように湾曲した曲面部であり（図１１参照）、側方中面部８４ｂの上縁の前側の略半分と、正面部８３の前上面部８３ｃの左右外側の縁部との間の面部として形成されている。側方上前側曲面部８４ｃは、その上縁部を、側面視で円周形状における前下側の略１／４の円弧状をなす四半円弧状部８４ｄとしている。前カバー体８１の前上面部８３ｃおよび左右の側方上前側曲面部８４ｃにより、筒状カバー部７ａの左右両端部を除いた部分のうちの前下側の部分が形成される。
【００８０】
図１２から図１４に示すように、後カバー体８２は、カバー７の後面部を形成する背面部８６と、カバー７の筒状カバー部７ａの大部分を形成する半円筒状面部８７とを有する。
【００８１】
背面部８６は、その略下半部をなす後下面部８６ａと、後下面部８６ａの上側に形成された後中面部８６ｂと、後中面部８６ｂの上側に形成された後上面部８６ｃとを有する。背面部８６は、前カバー体８１の正面部８３と前後方向について略対称な形状を有する。背面部８６の上部の左右中央部に、エルボ管１０を貫通させる円形状の孔部８６ｄが形成されている。
【００８２】
後下面部８６ａは、鉛直状の面部であり、箱状カバー部７ｂの下側の略半分の後面部を形成している。後中面部８６ｂは、箱状カバー部７ｂのくびれ部７ｃの後面部を形成する部分であり、下側の部分を、下側から上側にかけて後側から前側へと傾斜するように表面側に対してわずかに凹状に湾曲した曲面部とし、この曲面部よりも上側の部分を、後下面部８６ａよりも前方に位置する鉛直状の面部としている。後上面部８６ｃは、後中面部８６ｂの上側に連続した鉛直状の面部であり、筒状カバー部７ａの後下側の左右両端部を除いた部分を形成している。
【００８３】
半円筒状面部８７は、半円筒面形状の面部であり、側面視で円周形状をなす筒状カバー部７ａの上側の略半分を形成する部分である。半円筒状面部８７は、その後側において、背面部８６の上側を側面視で接線状に連続させている。半円筒状面部８７は、水栓本体部材１５に対して上筒状部１５ａの外形に沿うように位置し、上筒状部１５ａの上側の部分を覆う部分となる。半円筒状面部８７の左右中央部に、スパウト８の回動支持部８ａを貫通させる円形状の孔部８７ｄが形成されている。
【００８４】
半円筒状面部８７は、左右両端部を、背面部８６の上縁部に対して所定の幅で左右外向きに突出した上側半円筒状突出部８７ａとしている。後カバー体８２は、上側半円筒状突出部８７ａとともに円環状の部分をなす下側半円筒状部８８を有する。上側半円筒状突出部８７ａと下側半円筒状部８８とにより、筒状カバー部７ａの両端部であって、左右外側に突出した幅狭の円筒状の部分であるリング状開口部８９が形成されている。
【００８５】
背面部８６の後上面部８６ｃの左右両側の縁部と、下側半円筒状部８８との間には、前カバー体８１の側方上前側曲面部８４ｃとともにカバー７の側面部の上端部を形成する側方上後側曲面部９１が形成されている。側方上前側曲面部８４ｃおよび側方上後側曲面部９１により形成されるカバー７の側面部の上端部は、側面視で筒状カバー部７ａの円周形状の下半部に沿う円弧形状を有する。また、側方上後側曲面部９１の下側には、背面部８６の左右両縁部に沿うリブ部９２が形成されている。リブ部９２は、背面部８６の左右両縁部と直角状の角部をなすように前側に向けて屈曲状に形成されている。
【００８６】
後カバー体８２において、半円筒状面部８７の前側の下縁部８７ｂと、下側半円筒状部８８の前側の部分の左右内側の縁部８８ｂとにより、正面視で横長の矩形状に沿うとともに下側を開放側とした切欠き状の部分である正面側切欠部９３が形成されている。正面側切欠部９３は、筒状カバー部７ａの後下側の左右両端部を除いた部分を切り欠いた態様の凹部である。
【００８７】
正面側切欠部９３により、下側半円筒状部８８の前側の部分は、円弧状架設部９４となっている。円弧状架設部９４は、リング状開口部８９の前下側の略四半円弧部分であり、下側半円筒状部８８の略前半部分である。つまり、円弧状架設部９４は、リング状開口部８９の一部であって、リング状開口部８９の幅寸法に対応した幅寸法を有し、半円筒状面部８７の前側の左右両側の隅部と、リング状開口部８９の下端部との間をつなぐ湾曲板状の架設部分である。
【００８８】
また、後カバー体８２において、背面部８６の裏側となる前面側には、前カバー体８１に対する係合部分となる係合突部９６が前方に向けて突設されている。係合突部９６は、後下面部８６ａの左右両側の上側の隅部の２箇所に設けられている。係合突部９６は、略矩形状の横断面形状を有するとともに、基部側（後側）から先端側（前側）にかけて先細りのテーパ形状なす略四角柱状の形状を有する。
【００８９】
一方、前カバー体８１には、係合突部９６の係合を受ける部分として、係合突部９６を受け入れる係合凹部９７が形成されている（図１０、図１１参照）。係合凹部９７は、左右の側面部８４の裏面側の膨出状の部分に形成されている。係合凹部９７は、下側、左右内側、および後側を開放した切欠き状の窪み部であり、上ガイド面９７ａ、横ガイド面９７ｂ、および前側面９７ｃにより形成されている。
【００９０】
以上のような構成を有する前カバー体８１および後カバー体８２が前後方向に合体することで、カバー７が形成される。前カバー体８１と後カバー体８２の合体構造において、前カバー体８１の前上面部８３ｃおよび左右の側方上前側曲面部８４ｃが、後カバー体８２の正面側切欠部９３に嵌ることで、これらの面部と半円筒状面部８７および左右の下側半円筒状部８８とにより、筒状カバー部７ａが形成される。なお、互いに嵌合して筒状カバー部７ａを形成する各面部には、前後のカバー体間の境界部分をなす縁部に沿って、位置決め嵌合用の段差部が形成されている。
【００９１】
また、前後のカバー体同士の合体構造において、前カバー体８１の正面部８３の前下面部８３ａおよび前中面部８３ｂならびに左右の側面部８４と、後カバー体８２の背面部８６および左右の側方上後側曲面部９１とにより、箱状カバー部７ｂが形成される。なお、箱状カバー部７ｂにおいて、左右の側面部８４の後端縁部は、後カバー体８２のリブ部９２に対して左右外側から重なっている。
【００９２】
また、前後のカバー体同士の合体構造に関し、後カバー体８２の係合突部９６が、前カバー体８１の係合凹部９７に係合している。係合突部９６と係合凹部９７の係合部分においては、主に、係合凹部９７の上ガイド面９７ａが、係合突部９６の上面に作用し、係合凹部９７の横ガイド面９７ｂが、係合突部９６の左右外側面に作用する。また、この係合部分は、前後のカバー体同士の合体に際して位置決め用のガイド部として機能する。
【００９３】
続いて、水栓装置本体６に対する前カバー体８１および後カバー体８２の取付構造について説明する。
【００９４】
前カバー体８１は、水栓装置本体６に対して後カバー体８２とは独立して着脱可能に取り付けられている。前カバー体８１は、取付金具１００により、水栓装置本体６に取り付けられている（図４参照）。取付金具１００は、前カバー体８１の裏面側（後面側）に固定される一方、水栓装置本体６に対しては、水栓本体部材１５と流路形成部材３１との接続部分を構成する左右のスペーサ４３に装着される。
【００９５】
取付金具１００は、左右のスペーサ４３を左右から抱持するように、後側を開放側とした所定の平面視形状を有する一体の板ばねとして形成されている。取付金具１００は、各スペーサ４３の形状に対応した凹形状をなす左右の抱持片部１０１と、左右の抱持片部１０１同士をつなぐ部分である固定面部１０２とを有する。
【００９６】
取付金具１００は、固定面部１０２の孔部を貫通するボルト等の固定具１０３により、前カバー体８１の正面部８３の裏面側の略中央部に突出形成されたボス部８３ｄに固定されている。ボス部８３ｄは、固定具１０３の螺挿を受ける雌ねじ部を形成している。ボス部８３ｄの左右両側には、金具受け部８３ｅが突出形成されている。金具受け部８３ｅは、取付金具１００の抱持片部１０１の前側の面部を嵌合させることで取付金具１００を上下方向について位置決めする嵌合凹部８３ｆを形成している。
【００９７】
取付金具１００が固定された前カバー体８１は、取付金具１００が左右のスペーサ４３に装着されるように、水栓装置本体６に対して前側から後側に向けて押圧されることにより、水栓装置本体６に取り付けられる。取付金具１００は、前カバー体８１を介して押圧作用を受けることで、弾性変形によって一時的に左右の抱持片部１０１の間隔を広げた後、左右の抱持片部１０１によって左右のスペーサ４３を挟み込んだ態様で水栓装置本体６側に係合し、水栓装置本体６に装着される。
【００９８】
取付金具１００が水栓装置本体６に装着されることで、前カバー体８１が水栓装置本体６に取り付けられた状態となる。前カバー体８１の取付状態において、前カバー体８１の上側への移動は、後カバー体８２の正面側切欠部９３に対する前カバー体８１の嵌合部等によって規制される。また、前カバー体８１の下側への移動は、係合凹部９７に対する係合突部９６の係合部等によって規制される。
【００９９】
また、前カバー体８１は、左右のスペーサ４３に対する取付金具１００の装着状態（係合状態）を解除することで、水栓装置本体６から取り外される。取付金具１００の装着状態は、例えば前カバー体８１を前側に引っ張ることで、取付金具１００の弾性変形をともなって解除される。前カバー体８１は、例えば、止水栓装置４５のキー溝４６ａによるスピンドル部材４６の操作や各部のメンテナンス等のために水栓装置本体６から取り外される。
【０１００】
後カバー体８２は、左右のリング状開口部８９に、水栓本体部材１５の上筒状部１５ａの左右両端部を差し込ませた態様で、水栓装置本体６に装着されている。すなわち、水栓本体部材１５の左側腕部１５ｃおよび右側腕部１５ｄの開口端部は、それぞれ、支持部材６２を介してリング状開口部８９に支持されている。
【０１０１】
水栓装置本体６に対する後カバー体８２の取付手順の一例について、図１６を用いて説明する。ここでは、水栓装置本体６に対する後カバー体８２の取付けに関する動作として、後カバー体８２に対する水栓装置本体６の相対的な動作を用いて説明する。
【０１０２】
図１６に示す例では、水栓装置本体６として、水栓本体部材１５に流路形成部材３１が取り付けられていない状態のもの、つまり主に水栓本体部材１５により構成された水栓装置本体６の上側の部分を示している。後カバー体８２の取付けを受ける状態の水栓装置本体６を、取付状態の水栓装置本体６Ｘとする。取付状態の水栓装置本体６Ｘは、切替操作部材１１ａおよび温調操作部材１２ａが取り付けられていない状態となっている。
【０１０３】
図１６Ａに示すように、まず、水栓装置本体６Ｘは、後カバー体８２の内部空間に対し、半円筒状面部８７の下側から入れられ、図１６Ｂに示すように、水栓本体部材１５の右側腕部１５ｄの右方への突出部分が、右側のリング状開口部８９に対して内側から挿入される（矢印Ｄ１参照）。右側腕部１５ｄの端部は、支持部材６２を介してリング状開口部８９に装着される。右側腕部１５ｄが右側のリング状開口部８９に装着された状態において、水栓装置本体６Ｘは、後カバー体８２に対し、湯水混合水栓装置１における正規の位置に対して右側にずれた位置に位置している。
【０１０４】
図１６Ｂに示す状態から、図１６Ｃに示すように、水栓装置本体６Ｘが、後カバー体８２に対して、左側にスライド移動させられる（矢印Ｄ２参照）。これにより、水栓本体部材１５の左側腕部１５ｃの左方への突出部分が、左側のリング状開口部８９に対して内側から挿入される。ここで、水栓装置本体６Ｘは、後カバー体８２に対し、湯水混合水栓装置１における正規の位置に達するまで左方へ移動させられる。左側腕部１５ｃの端部は、支持部材６２を介してリング状開口部８９に装着される。
【０１０５】
このように、水栓本体部材１５の上筒状部１５ａの左右両端部、つまり左側腕部１５ｃおよび右側腕部１５ｄそれぞれの左右外側の端部が、支持部材６２を介してリング状開口部８９に支持された状態となることで、後カバー体８２が水栓装置本体６Ｘに対して装着された状態となる。水栓装置本体６Ｘに後カバー体８２が取り付けられた後、スピンドル６１に切替操作部材１１ａが、連結軸７２に温調操作部材１２ａがそれぞれ取り付けられる。
【０１０６】
なお、上述した取付手順の例では、先に右側腕部１５ｄを右側のリング状開口部８９に挿入した後、左側腕部１５ｃを左側のリング状開口部８９に挿入しているが、これとは逆の手順であってもよい。すなわち、先に左側腕部１５ｃを左側のリング状開口部８９に挿入した後、水栓装置本体６Ｘを後カバー体８２に対して右方にスライドさせ、右側腕部１５ｄを右側のリング状開口部８９に挿入するという手順であってもよい。
【０１０７】
以上のような構成を備えた湯水混合水栓装置１においては、鋳物等の金属製の水栓本体部材１５が、樹脂製のカバー７により覆われている。そして、水栓本体部材１５内には、湯水混合弁１６に水を供給するための給水流路、および湯水混合弁１６に湯を供給するための給湯流路が形成されている。本実施形態では、図６に示すように、湯水混合弁１６に対する給水流路として、通水路２２および水用環状流路５７が形成されており、湯水混合弁１６に対する給湯流路として、通湯路２１および湯用環状流路５６が形成されている。
【０１０８】
このような構成において、水栓本体部材１５内に供給される湯の影響によって部分的に高温となる水栓本体部材１５と、カバー７との間の断熱として、空気断熱が行われている。すなわち、水栓本体部材１５とカバー７との間に、断熱用の空気層としての空間が設けられている。
【０１０９】
具体的には、水栓本体部材１５においては、例えば、図７に示すように、湯水混合弁１６を内蔵した左側腕部１５ｃの外周面１５ｊと、左側腕部１５ｃを覆う半円筒状面部８７の左側の部分であるカバー左筒状面部１０８の内周面１０８ａとの間に、円筒形状に沿う空気層としての空間１１０が設けられている。左側腕部１５ｃにおいては、湯水混合弁１６のケーシング５１の周りに湯用環状流路５６を形成する周壁部である湯流路形成周壁部１１１が、他の部分に対して比較的高温の部分となる。湯流路形成周壁部１１１は、図７において範囲Ｅ１で示すように、左側腕部１５ｃをなす周壁部分のうち、左右方向について、中央Ｏリング５５ａの接触部位と左側Ｏリング５５ｂの接触部位との間の部分である。
【０１１０】
このように高温部分となる湯流路形成周壁部１１１に対し、これを覆うカバー左筒状面部１０８は、空間１１０による空気断熱の作用を受ける。しかしながら、空気断熱だけでは、十分な断熱作用が得られない場合がある。そこで、本実施形態に係る湯水混合水栓装置１は、次のような構成を備えている。
【０１１１】
すなわち、水栓本体部材１５およびカバー７は、水栓本体部材１５における給水流路を形成する部分がカバー７の内面に接触するように構成されている。本実施形態では、図７および図１７に示すように、水栓本体部材１５は、カバー７に接触する部分として、給水流路を形成する部分の表面側に設けられた突出部である突起部１２０を有する。
【０１１２】
突起部１２０は、水栓本体部材１５の左側腕部１５ｃにおいて、湯水混合弁１６のケーシング５１の周りに水用環状流路５７を形成する周壁部である水流路形成周壁部１１２の表面側に設けられている。水流路形成周壁部１１２は、図７において範囲Ｅ２で示すように、左側腕部１５ｃをなす周壁部分のうち、左右方向について、中央Ｏリング５５ａの接触部位と右側Ｏリング５５ｃの接触部位との間の部分である。
【０１１３】
突起部１２０は、鋳物等の水栓本体部材１５の一部として形成されている。突起部１２０は、水流路形成周壁部１１２の外表面１１２ａに対して突出した略円筒形状の突起部分であり、円筒状の外周面１２１と、突出先端側の面である円形状の突出端面１２２とを有する。突出端面１２２は、略水平な平坦面である。また、突起部１２０は、外周面１２１を、水流路形成周壁部１１２の外表面１１２ａに対してなだらかに連続させるように、突起部１２０の裾野部分を形成する斜面部１２１ａを有する。
【０１１４】
突起部１２０は、突出端面１２２がカバー左筒状面部１０８の内周面１０８ａに当接するように形成されている。したがって、突起部１２０は、水流路形成周壁部１１２の外表面１１２ａに対して、空気層としての空間１１０の層厚と略同じ突出量で形成されており、突出端面１２２が、内周面１０８ａに対する接触面となる。
【０１１５】
突起部１２０は、上方向に突出するように形成されている。本実施形態では、突起部１２０は、略円筒状の周壁部分である水流路形成周壁部１１２において、上端部に形成されており、外表面１１２ａからの突出方向を上方向としている。略円筒形状を有する突起部１２０は、その中心軸方向が上下方向に沿うように形成されている。すなわち、略円筒状の水流路形成周壁部１１２の周方向について、水流路形成周壁部１１２が沿う円筒形状の中心軸の位置に略一致することとなる湯水混合弁１６の中心軸の位置の鉛直上方の部位に、突起部１２０が上方に向けて突出形成されている。
【０１１６】
以上のように、湯水混合水栓装置１は、水栓本体部材１５の水流路形成周壁部１１２に突起部１２０を有することにより、給水流路を形成する部分である水流路形成周壁部１１２を覆うカバー左筒状面部１０８に対し、水栓本体部材１５が内側から接触するように構成されている。
【０１１７】
なお、水栓本体部材１５とカバー７との間の空気断熱に関し、本実施形態の湯水混合水栓装置１は、次のような構成を有する。すなわち、図７に示すように、水栓本体部材１５の胴部１５ｂにおいて通湯路２１を形成する外側の壁面である左側面部１５ｈと、カバー７の箱状カバー部７ｂの側面部の上端部との間には、断熱用の空気層としての空間１１５が確保されており、箱状カバー部７ｂの側面部の上端部に対する空気断熱が行われている。
【０１１８】
以上のような構成を備えた湯水混合水栓装置１によれば、水栓装置本体６を構成する金属製の水栓本体部材１５をカバー７で覆った構成において、水栓本体部材１５の熱が伝わることによりカバー７が高温となることを抑制することができ、熱に起因して生じるカバー７の変形等の不具合を防止することができる。
【０１１９】
水栓本体部材１５において、湯水混合弁１６のケーシング５１の周りに水用環状流路５７を形成する周壁部である水流路形成周壁部１１２は、水用環状流路５７内を流れる水の作用により、他の部分に対して比較的低温の冷たい部分となる。このように低温の部分である水流路形成周壁部１１２を、突起部１２０によってカバー７に接触させることで、水流路形成周壁部１１２とカバー左筒状面部１０８との間の直接的な熱伝導の経路が形成され、突起部１２０が熱伝達部として機能し、カバー左筒状面部１０８に対して冷却作用を与えることができる。
【０１２０】
これにより、カバー左筒状面部１０８において、高温部分の熱が分散されやすくなり、湯用環状流路５６内を流れる湯の作用によって比較的高温の部分となる湯流路形成周壁部１１１を覆う部分（湯路被覆部１０８Ｘ）の局所的な昇温作用を低減することが可能となる。これにより、樹脂製のカバー７において生じる熱応力を減少させることができ、熱に起因するカバー７の変形等の不具合を抑制することができる。なお、カバー左筒状面部１０８のうち、湯流路形成周壁部１１１を覆う部分（図７、範囲Ｅ１に対応する部分）を湯路被覆部１０８Ｘとし、水流路形成周壁部１１２を覆う部分（図７、範囲Ｅ２に対応する部分）を水路被覆部１０８Ｙとする。
【０１２１】
特に、本実施形態において、湯流路形成周壁部１１１および水流路形成周壁部１１２は、いずれも左側腕部１５ｃの周壁部を形成する部分であって左右方向に連続した部分であり、これらの各部を覆うカバー左筒状面部１０８の湯路被覆部１０８Ｘおよび水路被覆部１０８Ｙも左右方向に連続した部分となっている。このため、突起部１２０によって水流路形成周壁部１１２を水路被覆部１０８Ｙに接触させることによる冷却作用を、湯路被覆部１０８Ｘに対する冷却作用として効果的に得ることができる。結果として、湯路被覆部１０８Ｘと水路被覆部１０８Ｙの温度差に起因する熱応力を低減することができ、カバー７の変形を効果的に抑制することができる。
【０１２２】
また、本実施形態の湯水混合水栓装置１は、水栓本体部材１５の左側腕部１５ｃとカバー左筒状面部１０８との間において、水栓本体部材１５側に突起部１２０を設けることで、水流路形成周壁部１１２をカバー７に接触させている。つまり、金属製の部材側を突起部１２０によって延ばすことにより、水栓本体部材１５をカバー７に接触させている。
【０１２３】
このような構成によれば、水流路形成周壁部１１２を、一般的に樹脂に比べて熱伝導率が高い金属の部分を介して、カバー左筒状面部１０８に接触させることができる。これにより、水流路形成周壁部１１２による冷却作用を効率的に水路被覆部１０８Ｙに与えることができ、カバー７の局部的な高温化を効果的に抑制することができる。同様に、例えば亜鉛などの比較的熱伝導率の低い材料でカバー７を形成した場合であっても、カバー７に比べて熱伝導率が高くなる水栓本体部材１５の突起部１２０を介して、水栓本体部材１５をカバー７に接触させることができ、カバー７の局部的な高温化を効果的に抑制することができる。
【０１２４】
また、本実施形態の湯水混合水栓装置１において、突起部１２０は、上方向に突出するように形成されている。
【０１２５】
このような構成によれば、カバー７に作用する重力を利用して、突起部１２０をカバー７に接触させやすくすることができる。すなわち、カバー７は、自重により下方に下がろうとするため、カバー左筒状面部１０８の下方に位置する突起部１２０をカバー左筒状面部１０８に接触させやすくすることができる。これにより、突起部１２０を確実にカバー７に接触させることが可能となり、突起部１２０によってカバー７の局部的な高温化を効果的に抑制することができる。
【０１２６】
また、突起部１２０を上方に向けて突出させた構成によれば、比較的高温となる湯路被覆部１０８Ｘのうち、上側の部分の高温化を抑制することができる。湯路被覆部１０８Ｘの上側の部分は、湯水混合水栓装置１の使用者が触れる可能性が比較的高い部分であるため、その部分の高温化が抑制されることで、湯水混合水栓装置１の安全性を向上させることができる。
【０１２７】
また、本実施形態の湯水混合水栓装置１が備えるカバー７は、筒状カバー部７ａの両端部において、水栓本体部材１５の上筒状部１５ａの両端部を支持するリング状開口部８９を有する。このような構成によれば、例えば、円弧状架設部９４が存在しない構成等のようにリング状開口部８９の一部が切れている構成との比較において、筒状カバー部７ａの剛性を高めることができ、カバー７に作用する応力に対する強度を向上させることができる。
【０１２８】
また、リング状開口部８９を有する構成によれば、例えば上記のようなリング状開口部８９の一部が切れている構成との比較において、樹脂製のカバー７の成形に関し、筒状カバー部７ａについて形状的な面で高い精度を得やすくすることができる。これにより、水栓装置本体６に対するカバー７の装着性を向上させることができ、カバー７を水栓装置本体６に取り付けた状態において、カバー７の凹みや出っ張り等による見栄えの低下やカバー７のガタツキが生じることを抑制することができる。
【０１２９】
以上のように実施形態を用いて説明した本発明に係る湯水混合水栓装置は、上述した実施形態に限定されず、本発明の趣旨に沿う範囲で、種々の態様を採用することができる。
【０１３０】
上述した実施形態では、突起部１２０は、水栓本体部材１５の水流路形成周壁部１１２において１箇所に設けられているが、突起部１２０の数は限定されるものではない。したがって、例えば、図１８に示す変形例１の構成のように、突起部１２０は複数箇所に設けられてもよい。
【０１３１】
図１８に示す例では、水流路形成周壁部１１２において、突起部１２０が３箇所に設けられている。すなわち、図１８に示す構成においては、突起部１２０として、上述した実施形態のように水流路形成周壁部１１２の上端部位に形成された突起部１２０Ａに加え、水流路形成周壁部１１２の前部に形成された突起部１２０Ｂと、水流路形成周壁部１１２の後部に形成された突起部１２０Ｃとが設けられている。
【０１３２】
このように、突起部１２０を複数箇所に設けることにより、水栓本体部材１５の水流路形成周壁部１１２とカバー７との間の熱伝導性を向上させることができるので、カバー７の局部的な高温化を効果的に抑制することができる。ただし、水流路形成周壁部１１２に設ける突出部としては、上述したようなカバー７に対する突起部１２０の接触性や安全性の観点から、少なくとも上方向に突出するように形成されることが好ましい。したがって、図１８に示す例では、少なくとも突起部１２０Ａを有する構成が好ましい。なお、図１８に示す例では、３つの突起部１２０は、左右方向について共通の位置に設けられているが、水流路形成周壁部１１２における複数の突起部１２０の配置態様については特に限定されない。
【０１３３】
また、突起部１２０に関し、その形状や大きさは特に限定されない。したがって、突起部１２０の形状は、略円筒形状に限らず、例えば半球状や円柱状や角錐状等であってもよい。
【０１３４】
また、突起部１２０に関しては、突出端面１２２の形状を、カバー左筒状面部１０８の内周面１０８ａに沿わせた形状とした構成であってもよい。具体的には、例えば、図１９に示す変形例２の構成のように、突起部１２０の突出端面１２２は、側面断面視において円弧状の面部となるカバー左筒状面部１０８と同心円に沿う円弧状の曲面であってもよい。つまり、突出端面１２２は、図１９に示すような側面断面視において円弧状をなすカバー左筒状面部１０８の内周面１０８ａと略同径の円弧状をなす凸曲面であってもよい。
【０１３５】
このような構成によれば、カバー左筒状面部１０８に対する突起部１２０の接触面積を増加させることができるので、水流路形成周壁部１１２とカバー左筒状面部１０８との間の熱伝導性を向上させることができる。これにより、カバー７の局部的な高温化を効果的に抑制することができる。
【０１３６】
また、左側腕部１５ｃに形成される突出部としては、突起部１２０に限らず、水流路形成周壁部１１２の外表面１１２ａに沿った長さを有する部分であってもよい。したがって、例えば図２０に示す変形例３の構成のように、突出部として突条部１３０を形成した構成であってもよい。
【０１３７】
図２０に示す例では、突条部１３０は、水流路形成周壁部１１２において、その周方向について上側の略１／３の範囲で連続した突条部分として形成されている。突条部１３０は、水流路形成周壁部１１２の外表面１１２ａに沿うように形成されており、外表面１１２ａから立ち上がった側面１３１と、カバー左筒状面部１０８に対する接触面となる外側周面１３２とを有する。
【０１３８】
突条部１３０は、外側周面１３２が全体的にカバー左筒状面部１０８の内周面１０８ａに接触するように形成されている。したがって、突条部１３０は、その形成範囲の略全体において、水流路形成周壁部１１２の外表面１１２ａに対して、空気層としての空間１１０の層厚と略同じ突出量で形成されている。
【０１３９】
このような構成によれば、カバー左筒状面部１０８に対する突起部１２０の接触面積を増加させることができるので、水流路形成周壁部１１２とカバー左筒状面部１０８との間の熱伝導性を向上させることができる。これにより、カバー７の局部的な高温化を効果的に抑制することができる。なお、この変形例３の構成は、図１９に示す変形例２の構成のように、カバー左筒状面部１０８に対する突出部の接触面を、カバー左筒状面部１０８の内周面１０８ａに沿わせた形状とした構成といえる。
【０１４０】
また、上述した実施形態では、金属製の部材側を突起部１２０によって延ばすことにより、水栓本体部材１５をカバー７に接触させているが、カバー７側を延ばすことにより、水栓本体部材１５をカバー７に接触させた構成であってもよい。
【０１４１】
具体的には、例えば、図２１に示す変形例４の構成のように、水栓本体部材１５の水流路形成周壁部１１２とカバー左筒状面部１０８との間において、カバー左筒状面部１０８側に突出部１４０を設けることで、水流路形成周壁部１１２をカバー７に接触させた構成であってもよい。つまり、水流路形成周壁部１１２とカバー左筒状面部１０８との間の接触構造としては、カバー７が、水栓本体部材１５に接触する突出部を有する構成であってもよい。
【０１４２】
突出部１４０は、カバー左筒状面部１０８の内周面１０８ａに対して突出形成されており、水流路形成周壁部１１２の外表面１１２ａに接触する突出端面１４２を有する。突出部１４０としては、突起部１２０のような突起部分であってもよく、また、図２０に示す突条部１３０のような突条部分をカバー左筒状面部１０８の内周面１０８ａに沿うように形成したものであってもよい。
【０１４３】
このような構成によっても、水栓本体部材１５の熱が伝わることによりカバー７が高温となることを抑制することができる。ただし、上述したように水流路形成周壁部１１２による冷却作用を効率的にカバー左筒状面部１０８に与える観点からは、水栓本体部材１５側に突出部を設けた構成が好ましい。また、水栓本体部材１５およびカバー７の両方に突出部を設けた構成であってもよい。
【０１４４】
また、上述した実施形態では、カバー７は樹脂製であるが、カバー７の材質は、これに限られない。カバー７は、例えば、金属製のものであってもよい。カバー７が金属製の部材により構成されたものである場合については、例えば、カバー７の構成部材を、亜鉛を利用した亜鉛ダイカスト製法によって製造することが考えられる。さらに、カバー７は、樹脂製の部材と金属製の部材により構成されたものであってもよい。具体的には、例えば、上述した実施形態において、前カバー体８１および後カバー体８２のうち、一方を樹脂製の部材とし他方を金属製の部材とした構成が考えられる。
【０１４５】
また、上述した実施形態では、湯水混合水栓装置１は、台付きタイプの水栓装置であるが、本発明は、例えば、浴室等の壁に対して給湯配管および給水配管を設けたいわゆる壁付きタイプ等の他のタイプの水栓装置にも適用可能である。
【符号の説明】
【０１４６】
１      湯水混合水栓装置
６      水栓装置本体
７      カバー
１５    水栓本体部材
１６    湯水混合弁
２１    通湯路
２２    通水路
５６    湯用環状流路
５７    水用環状流路
８１    前カバー体
８２    後カバー体
８７    半円筒状面部
８９    リング状開口部
１０８  カバー左筒状面部
１１１  湯流路形成周壁部
１１２  水流路形成周壁部
１２０  突起部（突出部）
１２２  突出端面
１３０  突条部
１４０  突出部
【図１】
2020200658.tif 000003
【図２】
2020200658.tif 000004
【図３】
2020200658.tif 000005
【図４】
2020200658.tif 000006
【図５】
2020200658.tif 000007
【図６】
2020200658.tif 000008
【図７】
2020200658.tif 000009
【図８】
2020200658.tif 000010
【図９】
2020200658.tif 000011
【図１０】
2020200658.tif 000012
【図１１】
2020200658.tif 000013
【図１２】
2020200658.tif 000014
【図１３】
2020200658.tif 000015
【図１４】
2020200658.tif 000016
【図１５】
2020200658.tif 000017
【図１６】
2020200658.tif 000018
【図１７】
2020200658.tif 000019
【図１８】
2020200658.tif 000020
【図１９】
2020200658.tif 000021
【図２０】
2020200658.tif 000022
【図２１】
2020200658.tif 000023